(57)【要約】【課題】従来の非接触ＩＣカードを用いたチケットシステムは、ＩＣカードの単価が高いため入場券などの使い捨て用途での利用は困難であった。【解決手段】チケットに読取専用の識別情報を持ったＩＣチップを内蔵し、サーバでチケット表面に印字された識別情報とＩＣチップが有する識別情報との対応表と、再発行における新旧識別情報の対応表を管理し、入場ゲートなどの端末に上記対応表のデータを配信することにより、機械処理可能で安価なチケットシステムを提供する。【選択図】  図１
2004264922.tif 000002
【特許請求の範囲】
【請求項１】
ＩＣチップが埋め込まれたチケット又はカードの再発行を受け付ける再発行端末装置と、前記チケット又はカードの利用を管理するローカルサーバと、前記ＩＣチップのＩＣチップＩＤに対応する前記チケット又はカードのチケット／カードＩＤを管理するセンタサーバとを備えた識別情報管理システムにおいて、
前記再発行端末装置は、再発行後の新チケット又はカードの新ＩＣチップＩＤを前記新チケット又はカードから読み取ると共に、再発行前の旧チケット又はカードの旧チケット／カードＩＤの入力を受け、前記新ＩＣチップＩＤ及び前記旧チケット／カードＩＤを再発行要求メッセージと共に前記センタサーバへ送信し、
前記センタサーバは、前記旧チケット／カードＩＤが存在するか否かを検索し、前記旧チケット／カードＩＤが存在すると判断した場合に、再発行可能メッセージを前記再発行端末装置へ送信すると共に、前記旧チケット／カードＩＤに対応する旧ＩＣチップＩＤと前記旧チケット／カードＩＤの少なくとも１つと前記新チケット／カードＩＤと前記新ＩＣチップＩＤを、再発行通知メッセージと共に前記ローカルサーバへ送信し、
前記ローカルサーバは、前記旧チケット／カードＩＤと前記旧ＩＣチップＩＤの代わりに、前記新チケット／カードＩＤと前記新ＩＣチップＩＤを有効なものとして格納する識別情報管理システム。
【請求項２】
さらに、前記チケット又はカードの利用を受け付ける利用端末装置を備え、
前記利用端末装置は、前記チケット又はカードの利用者から前記チケット又はカードのＩＤの入力を受け、前記チケット／カードＩＤを前記ローカルサーバへ送信し、
前記ローカルサーバは、前記センタサーバへ、前記チケット／カードＩＤを送信し、
前記センタサーバは、前記チケット／カードＩＤが存在するか否かを検索し、前記チケット／カードＩＤが存在すると判断した場合に、前記チケット／カードＩＤに対応するＩＣチップＩＤを、前記ローカルサーバへ送信し、
前記ローカルサーバは、前記チケットＩＤと前記ＩＣチップＩＤを対応づけて格納する請求項１に記載の識別情報管理システム。
【請求項３】
チケット又はカードのチケット／カードＩＤと前記チケット又はカードに埋め込まれたＩＣチップのＩＣチップＩＤを対応づけて管理する、識別情報を管理可能なセンタサーバにおいて、
再発行後の新チケット又はカードの新ＩＣチップＩＤと再発行前の旧チケット又はカードの旧チケット／カードＩＤを、再発行要求メッセージと共に前記チケット又はカードの再発行端末装置から受信する受信処理部と、
前記旧チケット／カードＩＤが存在するか否かを検索する検索部と、
前記データベースに前記旧チケット／カードＩＤが存在すると判断した場合に、再発行可能メッセージを前記再発行端末装置へ送信すると共に、前記旧チケット／カードＩＤに対応する旧ＩＣチップＩＤと前記旧チケット／カードＩＤの少なくとも１つと前記新ＩＣチップＩＤを、再発行通知メッセージと共にローカルサーバへ送信する送信処理部とを備えたセンタサーバ。
【請求項４】
前記チケット又はカードの再発行に伴い、データベース内の新旧のチケット又はカードの関連を更新する更新処理部を備えた請求項３に記載のセンタサーバ。
【請求項５】
前記送信処理部は、前記チケット又はカードの再発行に伴う、新旧のチケット又はカードの関連付け情報を、前記ローカルサーバへ送信する請求項３に記載のセンタサーバ。
【請求項６】
チケット又はカードのチケット／カードＩＤと前記チケット又はカードに埋め込まれたＩＣチップのＩＣチップＩＤを対応づけて管理するための、コンピュータによる識別情報管理方法において、
データベースが、前記ＩＣチップＩＤに対応して前記チケット／カードＩＤを格納しており、
前記コンピュータの受信処理部が、再発行後の新チケット又はカードの新ＩＣチップＩＤと再発行前の旧チケット又はカードの旧チケット／カードＩＤを、再発行要求メッセージと共に前記チケット又はカードの再発行端末装置から受信し、
前記コンピュータの検索部が、前記旧チケット／カードＩＤが前記データベース存在するか否かを検索し、
前記コンピュータの送信処理部が、前記データベースに前記旧チケット／カードＩＤが存在すると判断した場合に、再発行可能メッセージを前記再発行端末装置へ送信すると共に、前記旧チケット／カードＩＤに対応する旧ＩＣチップＩＤと前記旧チケット／カードＩＤの少なくとも１つと前記新ＩＣチップＩＤを、再発行通知メッセージと共にローカルサーバへ送信する識別情報管理方法。
【請求項７】
ＩＣチップが埋め込まれたチケット又はカードの利用を受け付ける利用端末装置と、前記チケット又はカードの利用を管理するローカルサーバとを備えた識別情報管理システムにおいて、
前記利用端末装置は、前記チケット又はカードの利用者から前記チケット又はカードのＩＤの入力を受け、前記チケット／カードＩＤを前記ローカルサーバへ送信し、
前記ローカルサーバは、前記ＩＣチップのＩＣチップＩＤと前記ＩＣチップが埋め込まれたチケット又はカードのチケット／カードＩＤを対応づけて管理するセンタサーバへ、前記チケット／カードＩＤを送信し、
前記ローカルサーバは、前記ＩＣチップＩＤに対応して前記チケット／カードＩＤが存在することが前記センタサーバによって確認された場合に、前記チケット／カードＩＤに対応する前記ＩＣチップＩＤを前記センタサーバから受信し、前記チケットＩＤと前記ＩＣチップＩＤを対応づけて格納する識別情報管理システム。
【請求項８】
チケットの所有者にサービスを提供するサービス提供装置において、
サービス利用可能なチケットの識別情報を複数保持する記憶部と、前記チケットの識別情報を読み取る読取部と、
読み取った前記チケットの識別情報が前記記憶部に保持されている識別情報の一つと一致するか検査する検査部と、
再発行に関する情報を受信する受信部と、
前記受信部で受け取った再発行情報を元に、前記記憶部に保持されている識別情報を書き換える書換部とを有するサービス提供装置。
【請求項９】
チケットの所有者にサービスを提供するための、コンピュータによるサービス提供方法において、
前記コンピュータの読取部が、サービス利用可能なチケットの識別情報を複数保持する記憶部と、前記チケットの識別情報を読み取り、
前記コンピュータの検査部が、読み取った前記チケットの識別情報が前記記憶部に保持されている識別情報の一つと一致するか検査し、
前記コンピュータの受信部が、再発行に関する情報を受信し、
前記コンピュータの書換部が、前記受信部で受け取った再発行情報を元に、前記記憶部に保持されている識別情報を書き換えるサービス提供方法。
【発明の詳細な説明】
【０００１】
【発明の属する技術分野】
本発明は、入場券、会員券などのチケットに関わる識別情報を管理する方法及びシステムに関し、特に機械処理用と人間用の二種類の識別情報を持つチケットに関わる識別情報を管理する方法及びシステムに関する。
【０００２】
【従来の技術】
近年、鉄道用電子乗車券（定期券、プリペイドカード）、スキー場のリフト券などの用途でその利便性から非接触ＩＣカードが用いられるようになっている。
【０００３】
また、非接触ＩＣカードの代替品として下記特許文献１で述べられているような非接触ＩＣ付の入場券なども提案されている。しかし非接触ＩＣカードは一枚あたりの値段が高く、発行時に利用者から預かり金を取って利用終了後にＩＣカードを回収、再利用することが一般的であり、鉄道の普通乗車券、映画館の入場券など一回限りのチケットを大量に発行する場所では非接触ＩＣカードの利用は困難であった。
【０００４】
一方、安価な非接触ＩＣチップとして下記特許文献２で示されているような、認識番号を有するＩＣチップが存在する。
【０００５】
【特許文献１】特開平１１−２７７９６３号公報
【特許文献２】特開２００２−１８４８７２号公報
【０００６】
【発明が解決しようとする課題】
特許文献１の方式では、ＩＣ回路内に入場券の券面に表示されているのと同等な情報を書き込むため、ＩＣ回路に書き込み機能を持たせる必要があるため安価になりづらく、使い捨て可能なチケットの実現は困難であった。
【０００７】
特許文献２の方式では、読取専用の認識番号のみを有するため特許文献１の方式には利用できず、また特許文献１と逆にチップの認識番号を入場券の券面に表示する方法は、チップの認識番号がバラバラなためハンドリングの点で難点があった。
【０００８】
本発明の目的は、特許文献２で示されているような認識番号を有するＩＣチップを用いて安価で機械処理可能なチケットシステムを提供することにある。
【０００９】
本発明の他の目的は、上記チケットシステムにおけるチケットの再発行を可能にするシステムを提供することにある。
【００１０】
さらに本発明の他の目的は、上記チケットシステムに係る情報をチケット発行者以外が有料または無料で利用できるシステムを提供することにある。
【００１１】
【課題を解決するための手段】
上記目的のために本発明におけるセンタサーバ（例えば、管理センタ）は、チケット表面に印字されるなどの人間が認識するためのチケットＩＤ（例えば、チケット番号）と、チケットに貼付などの方法で内蔵されているＩＣチップが有するＩＣチップＩＤ（例えば、チップ番号）との対応表を用意し、チケット製造、販売、予約、利用などの段階で識別情報間の総合変換する機能を有するものである。
【００１２】
また上記他の目的のために、本発明における識別情報管理サーバは、再発行に伴う新旧チケットの対応表を用意し、再発行端末からの再発行要求により対応表を更新すると共に入場ゲートなどの各種利用端末に更新されたデータを配信する機能を有するものである。
【００１３】
さらに上記他の目的のために、本発明における識別情報管理サーバはネットワークを通じて識別情報間の変換機能、チケット再発行時の通知機能などを公開し、第三者からの機能利用要求の際に利用者を認証する機能と必要に応じて課金する機能を有するものである。
【００１４】
【発明の実施の形態】
以下、本発明の一実施例を図を用いて詳細に説明する。図１は非接触ＩＣチップを有するチケットによる入場券システムである、本実施例のシステム構成図である。本システムは展覧会のように会場への入場と、各施設の利用を別の組織が管理しているシステムを想定している。入場券９０は非接触ＩＣチップ９２を含み、非接触ＩＣチップ９２はチップごとに異なる個別な識別情報であるチップ番号９３を有する。また入場券９０の表面にはチケット番号９１が印刷されている。管理センタ１０はデータベース１１、データベース１２を有し、ネットワーク２０を通じて施設サーバ３０、再発行端末７０、入場ゲート８０などと接続されている。データベース１１には発行済みのチケットに関するチケット番号１１１とチップ番号１１２の対応表が格納されており、データベース１２にはチケットが再発行された際に、再発行される前のチケットのチップ番号１２１と再発行されたチケットのチップ番号１２２が格納されていく。
【００１５】
施設サーバ３０は会場内の施設の予約状況を管理するサーバであり、ネットワーク２０を経由して管理センタ１０に接続していると同時に、ネットワーク６０を経由して予約端末５０に接続している。ここでネットワーク６０の例としてインターネット、予約端末としてパソコンが考えられるが、他の形態を否定するものではない。また、施設サーバ３０はその施設の入場ゲート４０とも接続している。入場ゲート４０は非接触リーダ４１を介して非接触ＩＣチップ９２と通信してチップ番号９３を読み取ることが可能である。施設サーバ３０内のデータベース３１には予約日時、チケット番号、チップ番号を対応付けるデータが格納されており、予約時にデータが登録され、施設の利用時にこのデータが利用される。
【００１６】
再発行端末７０はネットワーク２０を介して管理センタ１０と接続しており、さらに非接触リーダ７１を介して非接触ＩＣチップ９２と通信してチップ番号９３を読み取ることが可能である。
【００１７】
入場ゲート８０は展覧会の会場の入り口に設置されており、ネットワーク２０を介して管理センタ１０と接続されているとともに、非接触ＩＣリーダ８１を介して非接触ＩＣチップ９２と通信してチップ番号９３を読み取ることが可能である。
【００１８】
図２は施設予約時の各エンティティの処理フローである。チケットを事前購入した利用者は、予約端末５０に、チケットに記載されているチケット番号９１と利用希望日時を入力する。ここでチケットを購入した利用者はチップ番号を読み取る手段がないために、チケット番号を入力するところが重要である。入力されたデータはステップ２１０において施設サーバへ送信される。ステップ２２０において予約情報を受信した施設サーバは、ステップ２３０において少なくともチケット番号を含む、チケット番号確認要求電文を管理センタ１０へ送信する。ステップ２４０でチケット番号確認要求電文を受信した管理センタ１０は、ステップ２５０においてデータベース１１内に受信したチケット番号に対応するレコードが存在するかどうか検索する。さらに、このときチケット番号に暗号的な認識子（チェックサム）などを含めておき、管理センタにてその整合性をチェックすることなども考えられる。ステップ２６０において、管理センタ１０はステップ２５０の結果に応じて対応するチップ番号か、ステップ２３０で送信されたチケット番号がデータベース１１に存在しない番号である旨の応答を返す。ステップ２７０で上記応答を受信した施設サーバ３０は、応答内にチップ番号が存在する場合にはチケット番号が正当なものだったと判断して、ステップ２８０でデータベース３１に予約日時、チケット番号、チップ番号を格納し、ステップ２９０で予約が完了したことを予約端末５０に送信する。ステップ２７０で受信した応答電文内にチップ番号が存在する場合にはチケット番号が不当なものだったと判断して、ステップ２９０で「該当するチケットが存在しない」のようなメッセージを予約端末５０に送信する。
【００１９】
図３に利用者が予約した施設を利用する際の各エンティティの処理を示す。利用者がチケット９０を入場ゲート４０にかざすと、入場ゲート４０はステップ３１０においてチップ番号９３を読み取り、そのデータをステップ３２０において施設サーバ３０に送信する。ステップ３３０で電文を受信した施設サーバ３０は、ステップ３４０においてデータベース３１内にチップ番号９３に該当するレコードがあるかどうか検索し、レコードが存在し且つその予約日時が現在日時と同一である場合には入場可を、それ以外の場合は入場不可をステップ３５０においてゲート４０に送信する。ステップ３６０で上記電文を受信したゲートはステップ３７０で、受信した電文を検査し、入場可の場合にのみステップ３８０でゲートをオープンする。
【００２０】
以上の例ではチケットのチェックを施設サーバ３０にて行なったが、例えば予めその時間に入場する予定のチップ番号を施設サーバ３０から入場ゲート４０に送信しておき、入場ゲート４０内で上記チェックを行なうことも可能である。
【００２１】
図４にチケット再発行時の処理の流れを示す。非接触ＩＣチップが壊れるなどして読み取れなくなったチケットをもった利用者が再発行端末７０のところにきた場合、再発行端末７０の操作者はステップ４１０において古いチケットのチケット番号を入力すると共に、ステップ４２０において非接触リーダ７１を介して再発行する新しいチケットのチップ番号を読み取り、ステップ４３０において再発行電文（再発行要求メッセージ）を管理センタ１０に送信する。当然のことながらステップ４１０とステップ４２０の順番はどちらでもよい。ステップ４４０で再発行電文を受信した管理センタ１０は、ステップ４５０においてデータベース１１に送信された古いチケットのチケット番号が存在するかどうか検索し、番号が存在しなかった場合には不正なチケットであると判断してステップ４６０で再発行不可のメッセージを送信し、チケット番号が存在した場合には、ステップ４５０で検索した古いチップ番号と、ステップ４４０で受信した新しいチップ番号を、ステップ４７０でデータベース１２に格納し、再発行可能メッセージを再発行端末７０へ送信する。
【００２２】
以上の例ではステップ４２０において非接触リーダ７１を介して新しいチケットのチップ番号を読み取ったが、その代わりに新しいチケットのチケット番号をキーボードなどから入力してもよい。この方式の場合、再発行端末７０の操作者の操作が増える代わりに非接触リーダ７１が不要となる利点がある。この方式の場合、ステップ４３０以降で用いられるチップ番号の代わりにチケット番号が用いられることになる。
【００２３】
図５に再発行が行なわれた際に管理センタから各施設サーバへ再発行の通知を行なう際の処理の流れを示す。管理センタ１０は、ステップ５１０においてデータベース１２から再発行前のチケットのチップ番号を検索する。ステップ５２０において再発行前のチップ番号が検索できた場合には、検索された発行前チップ番号を元にステップ５１０に戻って再検索を行なう。もうこれ以上、再発行前のチップ番号が検索できないときには、ステップ５３０において、少なくとも上記発見されたすべてのチップ番号のリストと最後に再発行されたチケットのチケット番号とを含む再発行情報を施設サーバ３０に送信する。ステップ５４０で上記再発行情報を受信した施設サーバは、上記チップ番号のリストに含まれるチップ番号がデータベース３１に存在するかどうか検索し、存在した場合にはステップ５５０において該当レコードを最後に再発行されたチケットの情報に更新する。つまり、施設サーバ３０は、旧チケットのチケット番号と旧ＩＣチップのチップ番号の代わりに、新チケットのチケット番号と新ＩＣチップのチップ番号を有効なものとしてデータベース３１に登録する。
【００２４】
以上の例では、以前に再発行された際の再発行情報が届かなかった場合などを考慮して、ステップ５３０で送られるデータが再発行前のチップ番号のリストであったが、例えば再発行情報が必ず届くことが保証されている場合や、施設サーバ３０で管理しているチケットの情報がいつの時点のものか確実に把握できるような場合などは、ステップ５３０で送られるデータ内のチップ番号のリストは、一つのチップ番号だけでもよい。また、以上の例では再発行情報の配布はチケットの再発行がなされるとすぐに行なわれるような場合を想定し、再発行情報として、一枚のチケットに関わる再発行情報のみを配信したが、例えば夜間バッチなど一定時間毎などに再発行されたチケット情報をまとめて配信することも考えられる。
【００２５】
以上の実施例ではデータベース１２で管理されるデータはチップ番号としたが、チップ番号とチケット番号は１対１なので、チケット番号で管理してもよい。その際はステップ５３０で配信される再発行情報には過去のチケット番号リストを含めるのが合理的である。
【００２６】
以上の実施例は入場券について述べたが、本発明のデータ管理方式及び再発行方式は入場券に限定されるものではなく、機械処理用の識別情報と人間認識用の識別情報の二つを有する、チケットやカード、例えば社員証などの身分証明書、クレジットカードなどの金融カード、映画の予約券、クーポンなどさまざまな応用が考えられる。
【００２７】
【発明の効果】
本発明によれば、識別情報のみの読取専用ＩＣチップを用いて機械処理可能で安価なチケットシステムを構築することが可能になる。
【００２８】
また本発明によれば、読取専用ＩＣチップの破損などでチケット再発行が必要になった場合にも、予約情報などを引き継いだままチケット再発行することが可能になる。
【００２９】
また本発明によれば、チケット番号だけでなく、ＩＣチップ番号でもチケットを管理できるため、不正なチケットの利用を抑制できる。
【図面の簡単な説明】
【図１】本発明の一実施例におけるシステム構成図である。
【図２】本発明の一実施例におけるシステム予約のフローチャートである。
【図３】本発明の一実施例における入場時のフローチャートである。
【図４】本発明の一実施例におけるチケット再発行登録フローチャートである。
【図５】本発明の一実施例におけるチケット再発行通知のフローチャートである。
【符号の説明】
１０…管理センタ、１１…チケット番号データベース、１２…再発行データベース、２０、６０…通信ネットワーク、３０…施設サーバ、３１…予約データベース、４０、８０…入場ゲート、５０…予約端末、７０…再発行端末、４１、７１、８１…非接触リーダ、９０…チケット、９１…チケット番号、９２…非接触ＩＣチップ、９３…チップ番号。
【図１】
2004264922.tif 000003
【図２】
2004264922.tif 000004
【図３】
2004264922.tif 000005
【図４】
2004264922.tif 000006
【図５】
2004264922.tif 000007